(57)【要約】【課題】本発明は、軸筒の把持部に、グリップ部材を装着し、該グリップ部材の後方に装飾リングを配設した筆記具の軸筒の装飾リングを、軸筒に簡単に配設でき、かつ軸筒に対し装飾リングが容易に回転しない、筆記具の軸筒を提供する。【解決手段】軸筒の把持部に、弾性体からなるグリップ部材を装着し、該グリップ部材の後方に装飾リングを配設した筆記具の軸筒であって、前記グリップ部材の後端部に、後端側が縮径した段部または傾斜部を形成するとともに、該グリップ部材の段部または傾斜部に装飾リングを配設する。【選択図】      図１
2005047219.tif 000002
【特許請求の範囲】
【請求項１】
軸筒の把持部に、弾性体からなるグリップ部材を装着し、該グリップ部材の後方に装飾リングを配設した筆記具の軸筒であって、前記グリップ部材の後端部に、後端側が縮径した段部または傾斜部を形成するとともに、該グリップ部材の段部または傾斜部に装飾リングを配設したことを特徴とする筆記具の軸筒。
【請求項２】
前記グリップ部材の後端に、軸心方向に向かって起伏する凹部及び／又は凸部を形成するとともに、前記装飾リングの先端面に、前記凹部及び／又は凸部に対応する凸部及び／又は凹部を形成し、前記グリップ部材の凹部及び／又は凸部と、前記装飾リングの凸部及び／又は凹部とを係合したことを特徴とする請求項１に記載の筆記具の軸筒。
【請求項３】
前記装飾リングに、文字及び／または模様を施したことを特徴とする請求項１または２に記載の筆記具の軸筒。
【請求項４】
前記装飾リングの肉厚が、０．０１ｍｍ〜０．５ｍｍであることを特徴とする請求項１ないし３の何れか１項に記載の筆記具の軸筒。
【発明の詳細な説明】
【技術分野】
【０００１】
本発明は、軸筒の把持部に、グリップ部材を装着した筆記具の軸筒に関し、さらに詳しくは、グリップ部材の後方に装飾リングを配設した筆記具の軸筒に関する。 
【背景技術】
【０００２】
従来から、軸筒の把持部に、グリップ部材を装着してなる筆記具の軸筒はよく知られていて、筆記具の軸筒に金輪等の装飾リングを配設した構造もよく知られている。 
【０００３】
こうした筆記具において、装飾リングが異形であったり、表面に文字や模様を施してある場合には、クリップとの位置関係やグリップ部材との位置関係等、方向性を有するため、装飾リングが回転しないように、圧入や接着を行っていた。
【０００４】
また、筆記具の軸筒に金輪等の装飾リングを配設する構造としては、グリップ部材と軸筒間に間隙を形成し、装飾リングを挟持するように介在させる構造であった。また、本願出願人は、特開２０００−１４１９８５号公報の「筆記具の軸筒」に、筆記具の軸筒の把持部に、ゴム又は熱可塑性エラストマーからなるグリップ部材を２色成形により配設するとともに、軸筒に金輪をインサート成形により配置してなる筆記具を開示している。
【特許文献１】「特開２０００−１４１９８５号公報」
【発明の開示】
【発明が解決しようとする課題】
【０００５】
しかし、グリップ部材と軸筒間に間隙に装飾リングを単に挟持するだけでは、装飾リングが回転してしまったり、グリップ部材と装飾部材の間に隙間ができてしまう恐れがあった。また、軸筒に金輪をインサート成形するには、装飾リングの形状や材料が限定されてしまう。
【０００６】
また、圧入や接着を行うには、装飾リングと軸筒やグリップ部材との材料の相性や接着材の選定等をする必要があったり、組立性が悪く、特に接着剤を用いると大幅にコストが高くなってしまう。さらに、装飾リングの肉厚が薄い場合には、圧入によって装飾リングが変形してしまう恐れがあった。
【課題を解決するための手段】
【０００７】
本発明は、軸筒の把持部に、弾性体からなるグリップ部材を装着し、該グリップ部材の後方に装飾リングを配設した筆記具の軸筒であって、前記グリップ部材の後端部に、後端側が縮径した段部または傾斜部を形成するとともに、該グリップ部材の段部または傾斜部に装飾リングを配設する。
【０００８】
また、前記グリップ部材の後端に、軸心方向に向かって起伏する凹部及び／又は凸部を形成するとともに、前記装飾リングの先端面に、前記凹部及び／又は凸部に対応する凸部及び／又は凹部を形成し、前記グリップ部材の凹部及び／又は凸部と、前記装飾リングの凸部及び／又は凹部とを係合する。
【０００９】
またさらに、前記装飾リングに、文字及び／または模様を施す。
【００１０】
またさらに、前記装飾リングの肉厚が、０．０１ｍｍ〜０．５ｍｍとする。
【００１１】
本発明のグリップ部材は、弾性変形可能なシリコーンゴム、天然ゴム、ブチルゴム、フッ素ゴム、塩化ビニル樹脂、ブタジエンゴム、ウレタンゴム、ポリエチレン樹脂、その他合成ゴム、熱可塑性エラストマー等、筆記具のグリップ部材として一般的に知られている弾性体のなかから適宜選定すればよい。
【００１２】
本発明の装飾リングは、ＡＳ樹脂、ＡＢＳ樹脂、ＰＯＭ樹脂、ＰＳ樹脂、ＰＥＴ樹脂、ＰＢＴ樹脂、ＰＰ樹脂、ＰＭＭＡ樹脂、ＰＣ樹脂等の硬質樹脂や、黄銅、真鍮、ステンレス鋼、アルミニウム等の金属材料である。
【発明の効果】
【００１３】
本発明は、弾性体からなるグリップ部材の後端部を、後端側が縮径した段状または傾斜状に形成し、このグリップ部材の段状または傾斜状の後端部に装飾リングを配設することにより、装飾リングが回転することなく、簡単に配設することができる筆記具の軸筒を提供することができた。
【発明を実施するための最良の形態】
【００１４】
装飾リングを、グリップ部材と軸筒間に間隙に隙間を形成したり、回転したりすることのないように配設する目的を、簡単な構造で、組立性を損なわずに実現した。
【実施例１】
【００１５】
図１から図４に示す筆記具の軸筒１は、軸筒本体２の把持部２ａは、外径が小径に形成してあり、この把持部２ａにグリップ部材３を装着する。グリップ部材３の後端部に、後端側が縮径した段部３ａを形成してあり、この段部３ａに装飾リング４を圧入により配設する。さらにその後、先端開口部５ａを有する口先部材５を軸筒本体２の先端に螺着して筆記具の軸筒１を得る。
【００１６】
グリップ部材３の後端部の段部３ａに装飾リング４を配設することにより、装飾リング４と、摩擦抵抗の高いグリップ部材３の当接するため、容易に装飾リングが回転することはない。また、グリップ部材３の後端部の段部３ａに装飾リング４を圧入状態に配設することによって、回転防止力はさらに向上し、グリップ部材３が軟質樹脂で形成してあるので、圧入による装飾リング４の変形がしにくい。
【００１７】
特に、装飾リングの圧入する部分の肉厚が、０．０１ｍｍ〜０．５ｍｍのような薄い肉厚で形成してある場合には、圧入によって変形しやすいので、本発明の効果は顕著である。
【００１８】
また、グリップ部材３の後端には、軸心方向に向かって起伏する凹部３ｂを形成し、装飾リング４の先端面に、グリップ部材３の凹部３ｂに対応する凸部４ａを形成して、グリップ部材３の凹部３ｂと装飾リング４の凸部４ａを係合して配設することにより、装飾リング４の回転防止力を向上させるとともに、グリップ部材３は、弾性変形可能であるので装飾リング４の寸法精度を厳密にしなくても、グリップ部材３と装飾リング４の間に隙間を形成することなく係合することができる。また、外観上の装飾効果も得られる。
【００１９】
また、装飾リングに文字や模様を施すことによって、より装飾効果が高まるので好ましいが、リング状であるため、生産時、特に機械組みにおいて文字や模様の位置を一定にすることは難しいので、グリップ部材の凹部と装飾リングの凸部を係合して配設することにより、文字や模様の位置を一定にすることができる。
【００２０】
本実施例では、軸筒本体２内に、インキ収容筒９の先端にボールペンチップ１０を装着したボールペンレフィルをコイルスプリング８によって軸筒後端方向に付勢して収納する。軸筒の後端から突出したノック部材６を押圧作動することで、図示はしていないが、ボールペンレフィルの後端に配設した、回転カム等によるノック機構部を作動させ、ボールペンチップ１０を口先部材の先端開口部から出没自在にしてなるノック式筆記具として例示してあるが、本発明の筆記具の軸筒は、キャップ式筆記具や筆記先端部に限定することなく実施可能である。
【産業上の利用可能性】
【００２１】
軸筒にクリップや文字や絵などの装飾を施し、軸筒とグリップ部材の位置の特定が不可欠な用途にも適用できる。
【図面の簡単な説明】
【００２２】
【図１】本発明の筆記具の軸筒を示す側面図である。
【図２】本発明の筆記具の軸筒を示す上面図である。
【図３】筆記具の軸筒の組立行程を示す斜視図である。
【図４】図１における、一部省略した要部拡大断面図である。
【符号の説明】
【００２３】
１  筆記具の軸筒
２  軸筒本体
２ａ  把持部
３  グリップ部材
３ａ  段部
３ｂ  凹部
４  装飾リング
４ａ  凸部
５  口先部材
５ａ  先端開口部
【図１】
2005047219.tif 000003
【図２】
2005047219.tif 000004
【図３】
2005047219.tif 000005
【図４】
2005047219.tif 000006